(57)【要約】【課題】指圧効果によるストレス解消およびリラックス効果を有する禿防止器具を提供する。【解決手段】頭皮を効果的に刺激する硬さを有する突起および頭皮を効果的に刺激する構造をもった突起を器具表面に形成し、刺激調節シートを用いて突起の指圧作用の強さを調節できる。また刺激調節シートに生地素材を用いたことで頭皮の皮脂を突起に付着しないようになっており、皮脂が付着し汚れた刺激調節シートは洗濯可能でいつも清潔に使用が可能である。【選択図】    図１
2005124731.tif 000002
【特許請求の範囲】
【請求項１】
頭皮を効果的に刺激する硬さを有する突起が器具本体の表面に形成されていることを特徴とする禿防止器具。
【請求項２】
請求項１において、前記突起の先端部にくぼみ、または穴が設けられていることを特徴とする禿防止器具。
【請求項３】
請求項１または２において、突起の上部または先端部がゴム素材で構成されたことを特徴とする禿防止器具。
【請求項４】
請求項１において、突起の側面に突起若しくは凹凸を有したことを特徴とする禿防止器具。
【請求項５】
器具本体中身をシリコン素材またはそれと似た感触がある素材を用いて後頭部の形状に合わせ凹状に形成し、凹部には器具本体の中身よりやわらかい素材を充填したことを特徴とし、表面には請求項１，２，３，４のいずれかに記載の突起を設けた禿防止器具。
【請求項６】
請求項１，２，３、４のいずれかに記載の突起に合わせた穴を形成し、その穴に前記突起をはめ込んで使用することを特徴とした刺激調節シートを有する禿防止器具。
【請求項７】
請求項６において、穴を含めたシートの表面あるいは内層部分に薄い生地素材を設けたことを特徴とした刺激調節シートを有することを特徴とする禿防止器具。
【発明の詳細な説明】
【技術分野】
【０００１】
本発明は、ストレス解消効果を有する禿防止器具であり、その細かな形状、構造およびその素材また器具に取り付けるシートの構造、形状に関する。
【背景技術】
【０００２】
快眠を目的とした突起がある枕があった。このような従来の突起のあるマクラは快眠を目的としている為、突起部にスポンジ素材などを用いており、軟らかいものだった。
【０００３】
腰、脚など体の各部分に使えるように作られた突起のある多機能マクラがあった。そして上記のマクラの突起部分は柔らかい素材を用いていたので消耗が早かった。それを考慮して硬質部材を用いて耐久性を考えたものがあった。
【０００４】
【特許文献１】実登３０５１８１４
【発明の開示】
【発明が解決しようとする課題】
【０００５】
私の発明した、指圧効果によるストレス解消およびリラックス効果を有する禿防止器具の突起、および突起の基盤の素材は合成樹脂もしくはそれと同程度のあるいはそれ以上の硬さをもった素材を用いているのであり、上記の発明の突起とは素材、効果、目的、全てが異なる。突起のある快眠マクラは当然ながら就寝中に使用する目的で製作されているので指圧の強さが弱く、それを使用することで得る効果が期待できるものではなかった。本来頭皮を効果的にマッサージするにはある程度の強さは必要であり、くり返すが就寝用マクラとしては不向きであるはずなのだ。
【０００６】
また、腰、脚など体の各部分に使えるように作られた多目的マクラは、当然だが私の発明趣旨である頭皮および毛髪の発育、ハゲ防止とは全く異なり使い勝手も異なる。例えば頭皮を刺激するための適切な強さ、それを構成する突起の形、機能、器具本体の中身の構造などである。更につけ加えると、上記の突起はスポンジ、ソフトウレタン素材から形成されている。そしてこれらの素材は使用していくなかで消耗劣化していく。その消耗を防ぐ為に突起部分に軟質性の樹脂材をしみ込ませ、他の部分よりは若干硬化させた、とある。この発明者はこれを硬化処理（形成）と記しており、上記からわかるようにこの硬化処理（形成）とは素材の消耗劣化を防ぐためのものであるのがわかる。指でつまめば潰れるようなこのような突起では頭皮に十分な指圧効果を与えることはできない。
私の発明した突起、および突起の基盤の素材は合成樹脂もしくはそれと同程度のあるいはそれ以上の硬さをもった素材を用いているのであり、よって上記の発明の突起とは素材、効果、目的、全てが異なる。
【０００７】
従来は刺激の強さを自分の好みに調節できる機能は無かった。
【０００８】
髪というのは頭皮に皮脂分が付くほど抜け毛を促進させてしまう。従来のマクラは使用すればするほど皮脂分がマクラに付着し、それが頭皮に付くこととなり抜け毛を促進させてしまっていた。
【課題を解決するための手段】
【０００９】
請求項で記した、頭皮を効果的に刺激する硬さを有する突起を考案したことで段落０００５の課題が解決した。従来の頭皮を刺激する突起のあるマクラは就寝中に使用する目的で製作されているので指圧の強さが弱く、マクラを使用することで得る指圧効果を期待できるものではない。本来頭皮を効果的に刺激するにはある程度の強さは必要である。頭皮を効果的に刺激する硬さを有する突起とは、素材は合成樹脂および、それに近い硬さを有する素材および、それ以上の硬さを有するもの。いい代えると突起を指でつまんでも潰れない程度の硬さを有するもの。また可トウ性を有するほどの突起の長さ、硬さも大切な要素である。
【００１０】
器具本体に取り付ける刺激調節シートを考案したことで、刺激の強さを自分の好みに合わせて調節が可能である。シートには器具本体にある突起の間隔、大きさに合わせて穴が形成されている。使用方法は器具の突起部分を刺激調節シートの穴にはめ込む。柔軟素材で作られたシートは厚みが様々であり、使用する人の好みに応じて刺激を強くしたい時は薄いシートを、刺激を弱くしたい時は厚みのあるシートを使い分けることができる。そしてこれらシートは容易に交換可能である。
【００１１】
段落０００８の課題の解決として、器具に取り付ける刺激調節シートを考案した。刺激調節シートは器具本体にある突起の間隔、大きさに合わせた穴が形成されている。シートの表面には柔軟膜のカバーがついていることが特徴であり、突起と頭皮が直接に触れないようになっている（図７のi）。その為、皮脂はシートに付着し突起には付着しないようになっている。シートは洗濯可能であるので柔軟膜のカバー部分はいつも清潔に保つことができる。
【発明の効果】
【００１２】
本発明は以上説明したように構成されているので、以下に記載されるような効果を奏する。
【００１３】
本発明の刺激調節シートによって、自分に合った心地よい強さに刺激を調節できる。
【００１４】
上記の理由からより多くの方が使用できるようになり女性も使用し易くなった。
刺激調節シートを用いることによって使用者に合った心地よい強さで使用できることがストレス解消効果をもたらす大きな理由のうちの１つである。更に目的が頭皮毛髪に関するのであればこの”心地よさ”というものは無視できない。
ではストレスがどのように毛髪に悪影響を与えているか説明する。
ヒトの体はストレスにさらされると、体のさまざまな機能を司る自律神経のうち、交感神経が活発に働き始める。交感神経は、体の緊張状態を保つ神経で毛細血管をぎゅっと収縮させ、血行の悪化をまねく。そうすると毛髪に栄養が行かなくなってしまう。
【００１５】
また喫煙者にはさらに効果的である。
タバコに含まれるニコチンが２つの点で頭皮の血行を悪くしている。１つはニコチン自体が交感神経を刺激し、ヒスタミンの排出、ノルアドレナリンの分泌量が増え、これらが血管を収縮させる。２つ目は赤血球の「変形能(能力)」を低下させる、すると変形できない赤血球は細い血管を通れず毛細血管の血流が滞ってしまう。よって髪に栄養を運ぶ血液の流れが悪化し毛髪は育ちにくくなってしまう。
【００１６】
これまでにも、そして今後も多くのあらゆる禿げ防止器具が発明されるだろう。しかしたとえどんなにハイテクな技術であっても、使用者が緊張し、リラックスして使用できない発明であれば上記の説明からわかるように効果は成さない。これが禿防止器具を製作する上でもっとも難解かつ重要な課題の１つである。まずはストレスを解消させておき心身の緊張を解くこと、リラックスした状態なら末梢への血行も改善され、毛髪の生育が促される。
【００１７】
段落００１４で精神的な面からのリラックス効果を説明したが、このように頭皮を刺激した心地よさから脳を介してリラックスし血行を良くするのとは別で、突起の指圧効果で頭皮の筋肉をほぐしたその箇所の血行促進効果がある。そしてこれは交感神経が働いていない時に指圧するので、更に効果的である。
【００１８】
また頭皮のツボの指圧効用として疲れ目、目の充血。胆のう、ホルモンバランスの調整などがある。その他の効用もある。
【００１９】
刺激調節シートを用いることにより頭皮を皮脂から守る。
毛髪は毛母細胞のたんぱく質が硬く変化して伸びたもの。この毛髪が硬化する化学反応に欠かせないのが酸素である。しかし、頭皮の汚れが毛穴をふさいでいると、毛穴から十分な酸素が供給されなくなってしまい化学反応がきちんと起こらず毛髪が生えにくくなったり、硬さの不十分な弱々しい髪になる。そして更に溜まった皮脂に埃や細菌が繁殖し、頭皮や毛根の炎症をまねく元となってしまう。これらの症状を予防するために刺激調節シートの表面に薄いやわらかい布または柔軟膜をつけた。そうすることで皮脂は突起ではなく、このやわらかい布または柔軟膜に付着するようになっている。シートは汚れてもいいように洗濯可能であるのでいつも清潔に使用できる。なお請求項７に記載の生地素材とはここでいう薄いやわらかい布または柔軟膜を意味する。
【００２０】
発明品の使用中は頭を乗せるとその重みでマクラが沈み、突起は頭皮に対し垂直に接する。そうすることで後頭部ばかりに重心が偏るのを妨げ、分散させることができる。
【００２１】
突起先端部に穴および、くぼみを設けることによって、頭皮が傷つくのを防ぐことができる。また突起の頭皮への当たりがソフトになり使用時の心地よさが増し、新たな使用感を提供した。（図２）
突起先端部または上部にゴム素材を用いることで頭皮が傷つくのを防ぐことができる。また突起の頭皮への当たりがソフトになり使用時の心地よさも提供した。（図３）尚、ゴム素材とはゴム、弾性のある各種プラスチック素材などでもよい。
【００２２】
器具本体中身の上部を後頭部の形状に合わせ凹状にシリコン素材またはそれと似た感触がある素材、例えばこんにゃく、ういろう又は限りなくこれらに近い素材などを用いて形成したことで新たな使用感、心地よさを提供した。（図８，９）
突起の側面に突起若しくは凹凸を有したものを設けたことによって新たな使用感、心地よさを提供した。（図４）
【発明を実施するための最良の形態】
【００２３】
器具本体の中身をシリコン素材、またはこんにゃく、ういろうなどそれと似た感触のある素材を用いて凹状に形成し（図８，９の符号ｋ）、凹部には器具本体中身よりやわらかい素材、または超柔軟素材を補填する（図８の符号ｊ）。超柔軟素材とは例えばシリコン素材でも構わない。その場合は符号ｋのシリコン素材よりもより軟らかいものを用いる。尚、符号ｋの素材によっては、図ｊを補填しない場合もある。
【００２４】
図１に示される実施例では、本体の表面にいくつもの突起が敷き詰めてあり、突起の長さは１０ｍｍ以下としているが１０ｍｍより長くてもよい。突起の素材は木、またはプラスチックなど様々な素材で形成できるが、主に硬素材の合成樹脂で形成する。突起の先端部にはゴム(臭いのないもの)などの軟素材で形成しているものもある。いずれの突起も頂部にはくぼみを設けている。突起の基盤となる素材は突起と同素材などから形成される。
【００２５】
器具本体中身の符号ｊ、ｋの部分に、突起が設けられている基盤を、巻くように形成する。
【００２６】
図４に示される実施例のように、突起の側面に凹凸または突起を設けたものがある。使用時は頭を乗せると突起の根元が曲がることにより突起は倒れ、側面の凹凸が頭皮に当たる。そして頭を上げると突起は元どおりになる。尚、上記のとおり突起には様々な種類、素材があり、一種類の突起で構成されるもの、あるいは二種類、三種類で構成されるものなどその用い方によって様々な実施例が存在する。
【００２７】
本体に取り付けるシート（図５〜７参照）はウレタンなどの弾性素材で形成され、本体の突起の大きさ、間隔にあわせた穴を形成している。シートの表面にはストッキング地のような伸縮性のある柔軟膜がついている。これにより頭皮の皮脂が突起部ではなく柔軟膜に付着する。シートは洗濯可能であり、いつも清潔に使用できる。
【００２８】
シートの使用方法は本体の突起部をシートの穴にはめ込み、本体を巻くように装着し、本体の裏でシートの端同士をマジックテープで止める。シートには３種類ほどのそれぞれ厚みが異なるものがあり、厚みを代えることで突起の刺激を調節する。シートは一番薄いもので突起の長さと同じ厚さ。厚いものは突起の長さよりも厚くなる。柔軟膜はシートの表面に設ける。表面とは図７のカバーその内側の場所も意味する。
【００２９】
器具本体の突起が形成されてない側面、底部はタオル地などで覆う。
【図面の簡単な説明】
【００３０】
【図１】器具本体の全体斜視図
【図２】請求項２で記した突起の図
【図３】請求項３で記した突起の図
【図４】請求項４で記した突起の図
【図５】刺激調節シート
【図６】刺激調節シートを突起に装着時の図
【図７】図６の断面図
【図８】器具本体の断面図
【図９】請求項５における器具本体の内部構造
【符号の説明】
【００３１】
ａ  突起先端部に設けたくぼみ又は穴
ｂ  ゴム素材
ｃ  突起
ｄ  突起側面に設けた突起
ｅ  使用時の形態
ｆ  突起に合わせて設けた穴
ｇ  マジックテープ
ｈ  刺激調節シート
ｉ  薄いやわらかい布、又は柔軟膜
ｊ  超柔軟素材
ｋ  シリコン素材
【図１】
2005124731.tif 000003
【図２】
2005124731.tif 000004
【図３】
2005124731.tif 000005
【図４】
2005124731.tif 000006
【図５】
2005124731.tif 000007
【図６】
2005124731.tif 000008
【図７】
2005124731.tif 000009
【図８】
2005124731.tif 000010
【図９】
2005124731.tif 000011